(57)【要約】      （修正有）【課題】卓球用フェンスの脚を水平方向に回動可能とし、枠体に対して直角方向と水平方向に回動位置決めでき、少ない部材で且つ簡単な構成とし、操作も容易である回動位置決め部材を提供する。【解決手段】卓球用フェンスにおける脚の回動位置決め部材５は、フェンスの下枠と脚の間に挟着する上下面５１、５２が平行な部材であって、上下面５１、５２の中心部に取付孔６を貫設する。この取付６上で直角に交差する二条の脱落可能な仮止用溝７Ａ、７Ｂを一方の面に形成する。他方の面には取付孔６上を通過すると共に、上面５１の一の仮止用溝７Ａ又は７Ｂと平行な固定用溝８を形成する。【選択図】図２
0003153572.tif 000002
【実用新案登録請求の範囲】
【請求項１】
フェンスの下枠と脚の間に挟着する上下面が平行な部材であって、上下面の中心部に取付孔を貫設し、この取付孔上で直角に交差する二条の脱落可能な仮止用溝を一方の面に形成し、他方の面には取付孔上を通過すると共に、上面の一の仮止用溝と平行な固定用溝を形成したことを特徴とする卓球用フェンスにおける脚の回動位置決め部材。
【請求項２】
仮止用溝の断面が弧状であることを特徴とする請求項１記載の卓球用フェンスにおける脚の回動位置決め部材。
【請求項３】
上下面共に、取付孔上で直角に交差する二条の仮止用溝を形成したことを特徴とする請求項１又は２記載の卓球用フェンスにおける脚の回動位置決め部材。
【考案の詳細な説明】
【技術分野】
【０００１】
本考案は、卓球台を中心にして囲むように複数台設置される卓球用フェンスにおける脚の回動位置決め部材に関するものである。
【背景技術】
【０００２】
卓球の試合や練習中に、適宜スペースを設けて卓球台を中心にして囲むように、複数台の卓球用フェンスを並べて設置することで、逸失した球が遠方へ転がっていくこと等を防止するようにしている。
従来、この種の卓球用フェンスとしては、上下左右のフレームで囲まれたほぼ四角形状の枠体と、この枠体の下フレームに下設して枠体をほぼ垂直に維持する脚部と、枠体に張設するシート体からなるものが多く用いられている。
【０００３】
この様な卓球用フェンスは、試合や練習に際して設置されるものであり、普段は体育館等の競技施設に付設されている倉庫等に保管されているため、試合場と倉庫間を運搬・持ち運びし、その都度、卓球用フェンスの設置や整頓収容することが頻繁に行われているのである。
【０００４】
そこで、卓球用フェンスにおいては、運搬・持ち運びを考慮して全体の軽量化を図ることと、整頓収容を省スペースで行えることが要望されているのである。
そして、後者の点は、枠体をほぼ垂直に安定して維持するために、枠体に対して直角に突出した脚部が整頓収容の省スペース化を阻んでいりことに注目して、脚を水平方向に回動可能とし、枠体に対して直角方向と平行方向に回動位置決めできる構造が工夫されているのである。
【先行技術文献】
【特許文献】
【０００５】
【特許文献１】特開２００３−１１７０３７号公報
【特許文献２】実開昭６３−１６３８６４号公報
【考案の概要】
【考案が解決しようとする課題】
【０００６】
本考案は、上記の点に鑑みて、脚を水平方向に回動可能とし、枠体に対して直角方向と平行方向に回動位置決めでき、従来のものと比べて、少ない部材で且つ簡単な構成とし、操作も容易である新規の部材を提供せんとするものである。
【課題を解決するための手段】
【０００７】
本考案の請求項１の卓球用フェンスにおける脚の回動位置決め部材は、フェンスの下枠と脚の間に挟着する上下面が平行な部材であって、上下面の中心部に取付孔を貫設し、この取付孔上で直角に交差する二条の脱落可能な仮止用溝を一方の面に形成し、他方の面には取付孔上を通過すると共に、上面の一の仮止用溝と平行な固定用溝を形成したことを特徴とするものである。
【０００８】
そして、請求項２の卓球用フェンスにおける脚の回動位置決め部材は、請求項１の考案において、仮止用溝の断面が弧状であることを特徴とするものである。
【０００９】
さらに、請求項３の卓球用フェンスにおける脚の回動位置決め部材は、請求項１又は２の考案において、上下面共に、取付孔上で直角に交差する二条の仮止用溝を形成したことを特徴とするものである。
【考案の効果】
【００１０】
請求項１の考案は、回動位置決め部材を、一方の面の二条の仮止用溝中の一条に枠体の下フレームの下部面を当接し、他方の面の固定用溝に脚の上部面を当接して、枠体の下フレームと脚の間に介在させ、取付孔を利用して下フレームと脚とを貫通した軸体で三部材の重合部を締着すれば、回動位置決め部材を枠体と脚の間に介在させて簡単に取り付けることができる。
【００１１】
そして、この状態において、締着した軸体を軸として、脚を水平方向に強制的に回動すれば、回動位置決め部材は脚と固定用溝で係止しているため、水平方向への回動は阻止され共に回動する。
一方、脚と共に回動する回動位置決め部材と下フレームとは脱落可能な仮止用溝で係止するため、回動位置決め部材の回動に伴い下フレームと係止する回動位置決め部材の仮止用溝は滑脱し、下フレームと当接しながら更に回動して直交する他の仮止用溝へ滑落して係止することとなり、脚は下フレームに対して平行又は直角の角度で位置決めされるのである。
【００１２】
また、枠体の下フレームと脚に対しての回動位置決め部材の上下面を、上記（段落番号００１０及び００１１）と逆にして介在させて重合することも可能であり、この場合には、回動位置決め部材は下フレームに固定され、脚のみが回動して二条の仮止用溝と係止することとなる。
【００１３】
このように、本考案の回動位置決め部材は例えばボルト・ナットの締着軸部材だけで枠体と脚間に介在させて簡単に取り付け可能で、また、脚の９０度間隔での回動位置決め操作も脚の水平方向への回動操作だけで容易に行える効果を有するものである。
さらに、脚の回動による部材間の消耗も本考案の回動位置決め部材に生じるため、交換することで対応できメンテナンスも容易となる効果を有する。
【００１４】
そして、枠体のフレームや脚は筒体で形成され、その多くは丸パイプ又は角パイプであるため、各部材の使用パイプに対応させて回動位置決め部材の上下面に溝加工を施せば良く、本体である枠体の下フレームと脚とは締着用の孔加工のみで済み、フェンスを含めて構成が簡素で経済性にも富む効果を有するものである。
【００１５】
請求項２の考案は、請求項１と同様に回動位置決め部材を枠体と脚間に介在させて簡単に取り付け可能である等の効果に加えて、仮止用溝の断面が弧状であるため、係止対象に対しての深さを設定することにより、係止する回動位置決め部材の材質、締め付け強度に容易に適応して滑らかな脚の回動が期待でき、特に係止対象の下フレーム又は脚が丸パイプである場合に顕著なものとなる。
【００１６】
請求項３の考案は、請求項１及び請求項２の効果に加え、上下面共に、取付孔上で直角に交差する二条の仮止用溝を形成したものであるから、回動位置決め部材と脚又は枠体の下フレームとの何れの係止部分で回動が可能となり、より確実で滑らかな脚の回動を期待できる効果を有する。
【図面の簡単な説明】
【００１７】
【図１】本考案の一実施の形態を示す卓球用フェンスの正面図である。
【図２】回動位置決め部材の一実施の形態を示す斜視図である。
【図３】回動位置決め部材５と脚４及び枠体１の下フレーム２との関係を示す一実施の形態を示す縦断面図である。
【図４】回動位置決め部材５と脚４及び枠体１の下フレーム２との関係を示す一実施の形態を示す縦断面図である。
【図５】回動位置決め部材の他の形態を示す斜視図である。
【考案を実施するための形態】
【００１８】
本考案の実施の形態を図面に基づいて説明する。
図１は本考案の一実施の形態を示す卓球用フェンスの正面図であり、上下左右のフレームで囲まれたほぼ四角形状の枠体１と、枠体１に張設するシート体３と、枠体１の下フレーム２に下設して枠体１をほぼ垂直に維持する脚４と、枠体１の下フレーム２と下設した脚４との間に介在する回動位置決め部材５で構成されている。
【００１９】
脚４は、枠体１をほぼ垂直に安定して維持するために、枠体１に対して直角に突出可能であると共に、整頓収容の省スペース化のため枠体１と平行にできるように、脚４を枠体に対して水平方向に回動可能とし、枠体１に対して直角方向と平行方向に位置決めできる構造となっている。
即ち、回動位置決め部材５と脚４又は枠体１の下フレーム２とを締着した係止部分の何れか、又は共に係止部分で回動が可能となっているのである。
【００２０】
図２はその回動位置決め部材５の斜視図であり、図３及び図４は、回動位置決め部材５と脚４及び枠体１の下フレーム２との関係を示す一実施の形態を示す縦断面図である。
回動位置決め部材５は六面体で上面５１と下面５２は平行な面であり、中央部に上下に貫通する取付孔６を有し、上面５１にはこの取付孔６上で直角に交差する二条の仮止用溝７Ａ、７Ｂが断面弧状に形成され、下面５２には一方の仮止用溝７Ａと平行な固定用溝８を形成したものである。
【００２１】
図３及び図４において、枠体１の下フレーム２が丸パイプ２１で構成され、脚４が角パイプ４１で形成され、また、下フレーム２の脚取付位置に丸パイプ２１を貫通する取付孔２２、脚４には取付孔４２とボルト頭が通過する挿通孔４３が設けてある。
そこで、回動位置決め部材５を介在して下フレーム２及び脚４の各取付孔４２、６、２２を対応させ脚４の下面からボルト９を挿通して下フレーム２から突き出たねじ部をナット（ダブルナットが好ましい。）１０で締着することで三部材が連結される。
【００２２】
この時、下フレーム２の丸パイプ２１と回動位置決め部材５の上面５１の仮止用溝７Ａ（他方の７Ｂでも良い）とを係止し、下面５２の固定用溝８と脚４の角パイプ４１の上面を嵌合して締着すれば、脚４は下フレーム２（枠体１）に対して直角方向又は平行方向に安定した状態で位置決めできる。
そして、脚４を強制的に水平方向へ回動させると回動位置決め部材５は共に回動し、下フレーム２の丸パイプ２１とは係止が外れて９０度間隔に設けられた他方の仮止用溝７Ｂと係止して回動を一時停止して安定し、脚４は下フレーム２（枠体１）に対して直角方向又は平行方向に回動して位置決めできることとなる。
【００２３】
固定用溝８は脚４の上面及び上部側面に嵌合する形状に凹部を形成するものであり、脚４の該当部が弧状面の時は、深い弧状面の溝を形成して水平方向の回動にも脱出しない嵌合状態にするものとなる。
また、仮止用溝７Ａ、７Ｂは図面で例示する浅い弧状面に限定されるものでなく、回動によって脱着可能であれば角状やＶ字状等であっても、その大きさや深さを設定すれば良い。
【００２４】
図３及び図４では、下フレーム２の丸パイプ２１と回動位置決め部材５の上面５１の仮止用溝７Ａ（他方の７Ｂでも良い）とを係止し、下面５２の固定用溝８と脚４の角パイプ４１の上面を嵌合して締着するものとしているけれど、下フレーム２が角パイプで脚４が丸パイプの場合は、回動位置決め部材５の上下面を逆に介在させて、回動位置決め部材５と下フレーム２とを固定用溝８で嵌合して固定し、脚４とは係止して、脚４と回動位置決め部材５との間の回動によって仮止用溝７Ａ、７Ｂで位置決めすることもできる。
【００２５】
回動位置決め部材５の材質を、下フレーム２や脚４の材質よりも軟らかいものを選択することで、脚４の位置決めの回動時の摺擦で仮止用溝７Ａ、７Ｂの形成面の方が磨耗するようになり、回動位置決め部材５を交換することで容易に且つ経済的に修繕を行えるものである。
【００２６】
図５は、回動位置決め部材５の他の形態を示す斜視図であり、上下面５１、５２共に、取付孔６上で直角に交差する二条の仮止用溝７Ａ、７Ｂを形成したものである。
回動位置決め部材５と脚４又は枠体１の下フレーム２とは、水平方向の回動に対して何れの係止部分でも脱着し回動が可能となり、より確実で滑らかな脚４の回動と係止を期待できるものとなる。
【００２７】
上記各図面の回動位置決め部材５は、上下面が正方形の六面体となっているけれど、この形態に限定されるものでなく、上下面が長方形や円形或いは楕円形等の他の形状で形成することは任意であり、何れの形状であっても作用及び効果に差異が生じるものではない。
【産業上の利用可能性】
【００２８】
本考案は、卓球台を中心にして囲むように複数個設置される卓球用フェンスにおける脚の回動位置決めを容易に行える部材としての利用が可能である。
【符号の説明】
【００２９】
１              枠体
２              下フレーム
２Ａ            丸パイプ
３              シート体
４              脚
４１            角パイプ
４３            挿通孔
５              回動位置決め部材
５１            上面
５２            下面
６、２２、４２  取付孔
７Ａ、７Ｂ      仮止用溝
８              固定用溝
９              ボルト
１０            ナット
【図１】
0003153572.tif 000003
【図２】
0003153572.tif 000004
【図３】
0003153572.tif 000005
【図４】
0003153572.tif 000006
【図５】
0003153572.tif 000007